(57)【要約】【課題】従来のプラスチックを材料とした成形品のコンパクトケースに比べて、製造が簡単で、コストが安く、かつ、廃棄が容易で、廃棄する場合に環境対応の点からも好ましい簡易型コンパクトケースを提供すること。【解決手段】本発明は、紙を主材料とする台紙部の台紙本体部の内面に収容部が載置して固定され、前記台紙部の台紙蓋部の内面に鏡が貼着されて形成されていることを特徴とする簡易型コンパクトケースであり、台紙部が、台紙本体部、台紙蓋部が折れ線を介して連設してなる形状、または、台紙本体部、台紙側壁部、台紙蓋部が折れ線を介して順次連設してなる形状、または、台紙蓋下部、台紙本体部、台紙蓋部とが折れ線を介して順次連設してなる形状、または、台紙蓋下部、台紙側壁部、台紙本体部、台紙側壁部、台紙蓋部が折れ線を介して順次連設してなる形状であり、収容部が、紙からなる板状、あるいは、プラスチックシートの真空成形により形成されていることを特徴とする。また、鏡が、薄い蒸着プラスチックフィルムまたは該蒸着プラスチックフィルムを主体とする積層体からなることを特徴とする。【選択図】図１
2004049528.tif 000002
【特許請求の範囲】
【請求項１】
紙を主材料とする台紙部の台紙本体部の内面に収容部が載置して固定され、前記台紙部の台紙蓋部の内面に鏡が貼着されて形成されていることを特徴とする簡易型コンパクトケース。
【請求項２】
前記台紙部が、台紙本体部、台紙蓋部が折れ線を介して連設してなることを特徴とする請求項１に記載の簡易型コンパクトケース。
【請求項３】
前記台紙部が、台紙本体部、台紙側壁部、台紙蓋部が折れ線を介して順次連設してなることを特徴とする請求項１に記載の簡易型コンパクトケース。
【請求項４】
前記台紙部が、台紙蓋下部、台紙本体部、台紙蓋部とが折れ線を介して順次連設してなることを特徴とする請求項１に記載の簡易型コンパクトケース。
【請求項５】
前記台紙部が、台紙蓋下部、台紙側壁部、台紙本体部、台紙側壁部、台紙蓋部が折れ線を介して順次連設してなることを特徴とする請求項１に記載の簡易型コンパクトケース。
【請求項６】
前記収容部が、紙からなる板状であることを特徴とする請求項１乃至５のいずれかに記載の簡易型コンパクトケース。
【請求項７】
前記収容部が、プラスチックシートの真空成形により形成されていることを特徴とする請求項１乃至５のいずれかに記載の簡易型コンパクトケース。
【請求項８】
前記鏡が、薄い蒸着プラスチックフィルムまたは該蒸着プラスチックフィルムを主体とする積層体からなることを特徴とする請求項１乃至５のいずれかに記載の簡易型コンパクトケース。
【発明の詳細な説明】
【０００１】
【発明が属する技術分野】
本発明は、化粧料などを収容するための簡易型コンパクトケースに関するものであり、詳しくは、紙を主材料とした環境問題に対応した簡易型コンパクトケースに関するものである。
【０００２】
【従来の技術】
一般に、口紅，アイシヤドウ等の化粧料などを収納するケース本体とケース本体に開閉が自在に連結している蓋体とからなり、その蓋体の裏面に鏡を取り付けた持ち運び用のケースとして、コンパクトケースは、従来より知られている。このコンパクトケースＳは、図１２に示すように、ケース本体と蓋体とが一体となったプラスチックの射出成形による成形品であることが一般的である。
【０００３】
【発明が解決しようとする課題】
しかしながら、上記のようにプラスチックの射出成形による成形品は、大量生産には向いているが、少量生産の場合、特に、試供品などを消費者に試用してもらうための容器としては、コストが高く使用できないのが実情である。また、コンパクトケースの材料として、プラスチックを使用していることから、廃棄する場合に環境対応の点からも好ましいものではないという問題がある。そこで、材料として、プラスチックを使用せず、簡単に製造できるコンパクトケースが望まれているが、未だ開発されていないのが実情である。
【０００４】
本発明は、このような事情に鑑みなされたもので、従来のプラスチックを材料とした成形品のコンパクトケースに比べて、製造が簡単で、コストが安く、かつ、廃棄が容易で、廃棄する場合に環境対応の点からも好ましい簡易型コンパクトケースを提供することを目的とするものである。
【０００５】
【課題を解決するための手段】
上記の目的を達成するため、この発明の簡易型コンパクトケースは、紙を主材料とする台紙部の台紙本体部の内面に収容部が載置して固定され、前記台紙部の台紙蓋部の内面に鏡が貼着されて形成されていることを特徴とする簡易型コンパクトケースである。そして、前記台紙部が、台紙本体部、台紙蓋部が折れ線を介して連設してなる形状、または、台紙本体部、台紙側壁部、台紙蓋部が折れ線を介して順次連設してなる形状、または、台紙蓋下部、台紙本体部、台紙蓋部とが折れ線を介して順次連設してなる形状、または、台紙蓋下部、台紙側壁部、台紙本体部、台紙側壁部、台紙蓋部が折れ線を介して順次連設してなる形状であることを特徴とする。また、前記収容部が、紙からなる板状であること、あるいは、プラスチックシートの真空成形により形成されていることを特徴とする。さらに、前記鏡が、薄い蒸着プラスチックフィルムまたは該蒸着プラスチックフィルムを主体とする積層体からなることを特徴とする。
【０００６】
本発明の簡易型コンパクトケースによれば、紙を主材料とした形状とすることにより、製造が簡単で、コストが安く、少量の生産にも対応できる形状であり、また、プラスチックを使用した部分は分離しやすい形状としているため、廃棄が容易で、廃棄する場合に環境対応の点からも好ましい簡易型コンパクトケースを得ることができる。
【０００７】
【発明の実施の形態】
つぎに、本発明の実施の形態について、図面にもとづいて詳しく説明する。なお、説明を簡単にするため、各図における対応する同一部位には同じ符号を付している。
【０００８】
図１は、本発明の簡易型コンパクトケースの第一の実施の形態の一実施例を示している。すなわち、簡易型コンパクトケースＡは、台紙部１と収容部２とから構成されている。台紙部１は、台紙本体部１ａと、台紙側壁部１ｍと、台紙蓋部１ｂとからなり、台紙本体部１ａの内面には、収容部２が載置されて固定され、台紙蓋部１ｂの内面には、鏡３が貼着されている。そして、台紙本体部１ａと台紙側壁部１ｍ、台紙側壁部１ｍと台紙蓋部１ｂとが折り曲げ可能であり、台紙蓋部１ｂを収容部２に覆い被せて、台紙部１がコの字形状にできるような形状としている。また、収容部２には、収容孔２ａが設けられ、その収容孔２ａに化粧料などを収納することができる。
【０００９】
図２は、簡易型コンパクトケースＡの台紙部１のブランクの展開図であり、ブランク１０Ａは、台紙本体部１ａ、台紙側壁部１ｍ、台紙蓋部１ｂが、それぞれ折れ線ａ、ｂを介して順次連設されている。台紙本体部１ａの内面には、収容部２が載置されて固定され、台紙蓋部１ｂの内面には、鏡３が貼着される。台紙部１の外面には、商品説明などの表示、あるいは、意匠性を付与する絵柄などの印刷などを施すことができる。また、絵柄などを施した薄紙を包んだ、いわゆる、くるみ貼り加工を施した形態としてもよい。その印刷は、オフセット、グラビア、スクリーン、凸版などいずれの印刷方法でも可能である。そして、台紙蓋部１ｂおよび台紙側壁部１ｍは、折れ線ｂ、ａで自在に開閉ができる。
【００１０】
台紙部１を構成する材料としては、適度な厚みと剛性を付与するものであればよく、その材質としては、板紙を主とするものを使用する。板紙としては、コートボール、マニラボール、チップボール、カード紙などで適度な強度を有する板紙が用いられ、場合によっては複数枚を積層してもよい。その厚さは１００μｍ〜３ｍｍの範囲がよく、台紙部１のサイズなどを考慮して適宜選定できる。
【００１１】
つぎに、収容部２は、紙からなる板状の形態のもの、あるいは、プラスチックの成形によるものがある。環境対応の観点からは、材料として板紙を使用した前者の収容部２が好ましい。
【００１２】
板紙からなる収容部２Ａは、図３−ａに示すように、板紙からなる板状の形態のものであり、必要な厚みの板紙を用いて、必要な部分に収容孔２ａを設けたものである。この収容部２Ａを台紙部１の台紙本体部１ａの内面に貼り合せる。使用する板紙は、コートボール、マニラボール、チップボール、カード紙などで適度な強度を有する板紙が用いられ、場合によっては複数枚を積層してもよい。収容部２Ａに設ける収容孔２ａの形状は、収容する化粧料などの用途に合せて適宜設定することができる。また、板状の紙を貫通するように設けてもよく、有低の溝状に設けてもよい。
【００１３】
プラスチックの成形による収容部２Ｂは、射出成形、あるいは真空成形により作製することができるが、コスト、使用後の廃棄処理などの点からプラスチックシートを用いて真空成形により成形する方法が好ましい。具体的には、ポリエステルシート、ポリプロピレンシート、ポリエチレンシート、ポリスチレンシートなどの厚さが０．２〜１．０ｍｍの範囲のプラスチックシートを用いて、通常の真空成形により成形する。また、使用するプラスチックシートの厚さ、収容部２Ｂに設ける収容孔２ａの形状は、収容する化粧料などの用途に合せて適宜設定することができる。例えば、図３−ｂに示すように、中央部に凹状の収容孔２ａを設け、四辺にはフランジ部２ｂを設けた形状とし、このフランジ部２ｂを台紙本体部１ａの内面に貼り合せる。また、使用後廃棄する時に、台紙本体部１ａから収容部２Ｂを分離しやすいように摘み部２ｃを設けることもできる。
【００１４】
つぎに、本発明の簡易型コンパクトケースＡにおける鏡３は、通常のガラス製あるいはプラスチック板製とは異なり、薄いアルミニウム蒸着フィルム、あるいは、薄いアルミニウム蒸着フィルムを基材とした積層体を材料としていることが特長である。具体例としては、表面にアルミニウム蒸着層を設けた１０〜５０μｍの範囲のポリエステルフィルムなどを紙、合成紙などに貼り合わせた積層体を使用する。
【００１５】
また、台紙蓋部１ｂを折り曲げて、収容部２に覆い被せた時に、台紙蓋部１ｂを係止する方法は、特に限定されるものではない。例えば、台紙蓋部１ｂと収容部２の対応する位置同士に薄板状のマグネットを設けておく方法などがある。
【００１６】
図４は、本発明の簡易型コンパクトケースの第二の実施の形態の一実施例を示している。すなわち、この簡易型コンパクトケースＢは、台紙部１と収容部２とから構成されている。台紙部１は、台紙本体部１ａを中心として、一方の側に連設された台紙側壁部１ｍ、台紙蓋部１ｂと、他方の側に連設された台紙側壁部１ｎ、台紙蓋下部１ｃとからなり、台紙本体部１ａの内面には、収容部２が載置されて固定され、台紙蓋部１ｂまたは台紙蓋下部１ｃの内面には、鏡３が貼着されている。台紙蓋下部１ｃを折り曲げて、収容部２に覆い被せ、そして、台紙蓋部１ｂをその上に重ねて台紙部１がロの字形状になるような形状としている。また、収容部２には、収容孔２ａが設けられ、その収容孔２ａに化粧料などを収納することができる。
【００１７】
図５は、簡易型コンパクトケースＢの台紙部１のブランクの展開図であり、ブランク１０Ｂは、台紙蓋部１ｅ、台紙側壁部１ｎ、台紙本体部１ａ、台紙側壁部１ｍ、台紙蓋部１ｂが、それぞれ折れ線ｄ、ｃ、ａ、ｂを介して順次連設されている。台紙本体部１ａの内面には、収容部２が載置されて固定され、台紙蓋部１ｂまたは台紙蓋下部１ｄの内面には、鏡３が貼着される。台紙部１の外面には、商品説明などの表示、あるいは、意匠性を付与する絵柄などの印刷などを施すことができる。その印刷は、オフセット、グラビア、スクリーン、凸版などいずれの印刷方法でも可能である。そして、台紙蓋部１ｂと台紙側壁部１ｍは、折れ線ｂ、ａで自在に開閉ができ、台紙蓋下部１ｃと台紙側壁部１ｎは、折れ線ｄ、ｃで自在に開閉ができる。
【００１８】
収容部２および鏡３については、第一の実施の形態の簡易型コンパクトケースＡと同様である。
【００１９】
図６は、本発明の簡易型コンパクトケースの第三の実施の形態の一実施例を示している。すなわち、簡易型コンパクトケースＣは、台紙部１と収容部２とから構成されている。台紙部１は、台紙本体部１ａと、台紙蓋部１ｂとからなり、台紙本体部１ａの内面には、収容部２が載置されて固定され、台紙蓋部１ｂの内面には、鏡３が貼着されている。そして、台紙蓋部１ｂを収容部２に覆い被せるようにすることにより台紙部１が折り畳まれた形状となる。また、収容部２には、収容孔２ａが設けられ、その収容孔２ａに化粧料などを収納することができる。
【００２０】
図７は、簡易型コンパクトケースＣの台紙部１のブランクの展開図であり、ブランク１０Ｃは、台紙本体部１ａと台紙蓋部１ｂが、折れ線ｅを介して連設されている。台紙本体部１ａの内面には、収容部２が載置されて固定され、台紙蓋部１ｂの内面には、鏡３が貼着される。台紙部１の外面には、商品説明などの表示、あるいは、意匠性を付与する絵柄などの印刷などを施すことができる。その印刷は、オフセット、グラビア、スクリーン、凸版などいずれの印刷方法でも可能である。そして、台紙蓋部１ｂは、折れ線ｅで自在に開閉ができる。
【００２１】
簡易型コンパクトケースＣにおける収容部２は、簡易型コンパクトケースＡ、Ｂと同様な形状を薄くすることにより対応できるが、図８に示すように、薄い形状の収容部２Ｃとして、紙、プラスチックフィルムなどをベースシート２ｅとし、その上に化粧料４などの層を塗布などで設け、さらに、その上にカバーフィルム２ｆを貼り合せた形状のものとすることもできる。
【００２２】
図９は、本発明の簡易型コンパクトケースの第四の実施の形態の一実施例を示している。すなわち、簡易型コンパクトケースＤは、台紙部１と収容部２とから構成されている。台紙部１は、台紙本体部１ａと、台紙蓋部１ｂと、台紙蓋下部１ｃとからなり、台紙本体部１ａの内面には、収容部２が載置されて固定され、台紙蓋部１ｂの内面には、鏡３が貼着されている。そして、台紙蓋下部１ｃを収容部２に覆い被せ、その上に台紙蓋部１ｂを重ねて折り曲げることにより台紙部１が折り畳まれた形状となる。また、収容部２には、収容孔２ａが設けられ、その収容孔２ａに化粧料などを収納することができる。
【００２３】
図１０は、簡易型コンパクトケースＤの台紙部１のブランクの展開図であり、ブランク１０Ｄは、台紙本体部１ａと台紙蓋部１ｂと台紙蓋下部１ｃが、それぞれ折れ線ｆ、ｇを介して順次連設されている。台紙本体部１ａの内面には、収容部２が載置されて固定され、台紙蓋部１ｂあるいは台紙蓋下部１ｃの内面には、鏡３が貼着される。台紙部１の外面には、商品説明などの表示、あるいは、意匠性を付与する絵柄などの印刷などを施すことができる。その印刷は、オフセット、グラビア、スクリーン、凸版などいずれの印刷方法でも可能である。そして、台紙蓋部１ｂは、折れ線ｆで自在に開閉ができ、台紙蓋下部１ｃは、折れ線ｇで自在に開閉ができる。
【００２４】
収容部２および鏡３については、第三の実施の形態の簡易型コンパクトケースＣと同様である。
【００２５】
また、本実施の形態の一実施例では、台紙蓋部１ｂと台紙蓋下部１ｃの形状を、台紙本体部１ａの形状と同一の形状としているが、台紙蓋部１ｂと台紙蓋下部１ｃの形状を、台紙本体部１ａの形状と異なる形状とすることができる。このことによって、台紙蓋部１ｂおよび台紙蓋下部１ｃを係止する方法が多くなり容易となる。例えば、図１１−ａに示すように、台紙蓋部１ｂの形状を、台紙本体部１ａの形状より短くして、台紙蓋下部１ｃに設けた差し込み口に差し込んで係止できる形状、図１１−ｂに示すように、台紙蓋部１ｂと台紙蓋下部１ｃの形状を、台紙本体部１ａの形状より短い形状として台紙本体部１ａ上の中央部で接合する形状、図１１−ｃに示すように、台紙蓋部１ｂと台紙蓋下部１ｃの形状を、台紙本体部１ａの形状より短い形状とし、台紙本体部１ａに固定した短い台紙蓋下部１ｃの下側に台紙蓋部１ｂを差し込んで係止できる形状などがある。
【００２６】
【発明の効果】
以上、説明したように、本発明の簡易型コンパクトケースは、紙を主材料とした形状とすることにより、製造が簡単で、コストが安く、少量のの生産にも対応できる形状であり、廃棄する場合に環境対応の点からも好ましいという効果を奏するものである。
【００２７】
また、収容部も紙を材料とするものを使用せずに、プラスチックシートの成形品を使用した場合でも、台紙から分離しやすく、廃棄が容易で、廃棄する場合に環境対応の点からも好ましいという効果を奏するものである。
【００２８】
さらに、鏡は、従来のガラス製、プラスチック板製とは異なり、薄い蒸着プラスチックフィルムを主体としており、かつ、台紙から分離しやすいため、廃棄する場合に環境対応の点からも好ましいという効果を奏するものである。
【図面の簡単な説明】
【図１】本発明の簡易型コンパクトケースの第一の実施の形態の一実施例を示す斜視図である。
【図２】本発明の簡易型コンパクトケースの第一の実施の形態の一実施例の台紙部のブランクを示す展開図である。
【図３】本発明の簡易型コンパクトケースの第一の実施の形態の一実施例の収容部示す斜視図である。
【図４】本発明の簡易型コンパクトケースの第二の実施の形態の一実施例を示す斜視図である。
【図５】本発明の簡易型コンパクトケースの第二の実施の形態の一実施例の台紙部のブランクを示す展開図である。
【図６】本発明の簡易型コンパクトケースの第三の実施の形態の一実施例を示す斜視図である。
【図７】本発明の簡易型コンパクトケースの第三の実施の形態の一実施例の台紙部のブランクを示す展開図である。
【図８】本発明の簡易型コンパクトケースの第三の実施の形態の一実施例の収容部示す斜視図である。
【図９】本発明の簡易型コンパクトケースの第四の実施の形態の一実施例を示す斜視図である。
【図１０】本発明の簡易型コンパクトケースの第四の実施の形態の一実施例の台紙部のブランクを示す展開図である。
【図１１】本発明の簡易型コンパクトケースの第四の実施の形態の変形例を示す斜視図である。
【図１２】従来のコンパクトケースの一例を示す斜視図である。
【符号の説明】
Ａ　　本発明の簡易型コンパクトケース（第一の実施の形態）
Ｂ　　本発明の簡易型コンパクトケース（第二の実施の形態）
Ｃ　　本発明の簡易型コンパクトケース（第三の実施の形態）
Ｄ　　本発明の簡易型コンパクトケース（第四の実施の形態）
Ｓ　　従来のコンパクトケースの一例
１　　台紙部
１ａ　台紙本体部
１ｂ　台紙蓋部
１ｃ　台紙蓋下部
１ｍ　台紙側壁部
１ｎ　台紙側壁部
２　　収容部
２Ａ　収容部（紙製）
２Ｂ　収容部（プラスチック製）
２Ｃ　収容部（薄型）
２ａ　収容孔
２ｂ　フランジ部
２ｃ　摘み部
２ｄ　ベースシート
２ｅ　カバーフィルム
３　　鏡
１０Ａ　ブランク（第一の実施の形態の台紙）
１０Ｂ　ブランク（第二の実施の形態の台紙）
１０Ｃ　ブランク（第三の実施の形態の台紙）
１０Ｄ　ブランク（第四の実施の形態の台紙）
ａ〜ｇ　折れ線
【図１】
2004049528.tif 000003
【図２】
2004049528.tif 000004
【図３】
2004049528.tif 000005
【図４】
2004049528.tif 000006
【図５】
2004049528.tif 000007
【図６】
2004049528.tif 000008
【図７】
2004049528.tif 000009
【図８】
2004049528.tif 000010
【図９】
2004049528.tif 000011
【図１０】
2004049528.tif 000012
【図１１】
2004049528.tif 000013
【図１２】
2004049528.tif 000014